(57)【特許請求の範囲】
【請求項１】
矩形箱状の電解槽をそれぞれに含む複数の電解槽ユニットがハウジング内に取り付けられた電解水生成装置であって、
前記ハウジング内に、前記複数の電解槽ユニットを取り付ける取付空間を区画するための分割フレームが設けられており、
前記複数の電解槽ユニットに含まれる各電解槽は、前記分割フレームに沿って、かつ、該各電解槽の厚さ方向に対向する幅広の側面が前記分割フレームと平行になった状態で並べられて配置されている
ことを特徴とする電解水生成装置。
【請求項２】
請求項１記載の電解水生成装置において、
前記電解槽ユニットに水を供給する給水路と、前記電解槽ユニットで電気分解された電解水素水を受ける出水路とが設けられており、
前記各電解槽ユニットは、
下流端部が前記電解槽に接続された給水管と、
上流端部が前記電解槽に接続された出水管とを備えており、
前記給水管の上流端部および前記出水管の下流端部は、前記分割フレームに沿う方向に前記電解槽と並べられた状態に配置され、かつ、その並べられた状態でそれぞれ前記給水路および前記出水路に接続されるように構成されている
ことを特徴とする電解水生成装置。
【請求項３】
請求項２記載の電解水生成装置において、
前記電解槽ユニットと前記給水路および前記出水路との間において水の流路を制御する流路弁が、前記分割フレームに沿う方向に前記電解槽と並べられて設けられ、
前記給水管の上流端部および前記出水管の下流端部は、前記流路弁を介してそれぞれ前記給水路および前記出水路に接続されるように構成されている
ことを特徴とする電解水生成装置。
【請求項４】
請求項３記載の電解水生成装置において、
前記各電解槽の側面には、格子状のリブが一体的に形成されている
ことを特徴とする電解水生成装置。
【請求項５】
請求項１記載の電解水生成装置において、
前記各電解槽は、前記分割フレームとの対向面側に一体的に形成された突状部と、前記突状部の先端に一体的に形成された頭部と、前記突状部と前記頭部との間に周方向に沿って凹陥するように形成されたくびれ部とからなる係止部を有し、
前記分割フレームには、前記頭部の外径よりも若干大きい挿入部と、該挿入部と連続して形成され、前記頭部の外径よりも小さくかつ前記くびれ部の外径よりも大きい抜け止め部とからなる抜け止め孔が形成されている
ことを特徴とする電解水生成装置。
【発明の詳細な説明】
【技術分野】
【０００１】
本発明は、水を電気分解することによって電解水素水を生成する電解槽を備えた電解水生成装置に関する。
【背景技術】
【０００２】
近年、食品関連、医療関連、農業関連等の分野において、電解水生成装置を活用するニーズが高まっている。このような分野では、大量の電解水素水を使用するため、複数の電解槽を備える電解水生成装置が用いられている。
【０００３】
例えば、特許文献１には、２以上の電解槽を直列配置あるいは並列配置に切り替えられるようにし、アルカリイオン水（電解水素水）を効率よく大量に得たい場合には、２以上の電解槽の配置を並列配置に切り替える技術が開示されている。
【先行技術文献】
【特許文献】
【０００４】
【特許文献１】特開平７−１５５７６２号公報
【発明の概要】
【発明が解決しようとする課題】
【０００５】
ところで、大量の電解水素水を使用する場合において、複数の電解槽を電解水生成装置に設けるとき、使用する電解槽数に応じて、それらの電解槽等を設置するための設置スペースが増加する。電解槽の体積が装置全体に占める割合は小さくないため、これらの複数の電解槽の配置構造を最適化することが求められる。
【０００６】
ここで、複数の電解槽の配置構造を最適化する場合、一般的には、電解槽の幅広の側面同士を対向させるように整列させる方法が考えられる。しかしながら、電解槽の幅広の側面は、水の電気分解の電圧値／電流値に応じて、その厚さ方向に膨張／収縮するため、隣接する電解槽のそれぞれの厚さ方向への膨張／収縮およびその膨張／収縮に対するマージン分を考慮して、隣接する電解槽の厚さ方向の配置間隔を広く確保する必要がある。
【０００７】
一般的に、電解水生成装置では、通常使用時において、毎分の処理水量が増加するにしたがって、電解槽の印加電圧および流れる電流を増加させる傾向がある。したがって、大量の電解水素水を使用する場合において、電解槽の印加電圧および流れる電流を増加させるとき、その印加電圧の増加前と比較して各電解槽の厚さ方向への膨張／収縮はさらに大きくなる。そのため、隣接する電解槽の厚さ方向の配置間隔をより広く確保する必要がある。
【０００８】
また、大量の電解水素水を使用するとき、一定の期間毎に電解槽を交換する場合がある。このため、電解水生成装置に収納された各電解槽の交換作業性を高める、すなわち各電解槽や、これらの電解槽に接続された給水管および出水管の交換作業性を高めることが望まれる。
【０００９】
本発明は、上記課題を解決するためになされたものであり、その主な目的は、複数の電解槽を有する電解水生成装置において、その複数の電解槽の配置構造を最適化することにある。
【課題を解決するための手段】
【００１０】
本発明に係る電解水生成装置において、複数の電解槽は、各電解槽の幅広の側面が電解槽ユニットの取付空間を区画するための分割フレームと平行になるように、その分割フレームに沿って並べて配置されているものとした。
【００１１】
すなわち、本発明の第１態様では、矩形箱状の電解槽をそれぞれに含む複数の電解槽ユニットがハウジング内に取り付けられた電解水生成装置において、ハウジング内に、複数の電解槽ユニットを取り付ける取付空間を区画するための分割フレームが設けられており、複数の電解槽ユニットに含まれる各電解槽は、分割フレームに沿って、かつ、各電解槽の厚さ方向に対向する幅広の側面がその分割フレームと平行になった状態で並べられて配置されていることを特徴とする。
【００１２】
本態様によると、電解槽は、その厚さ方向に対向する幅広の側面が分割フレームに沿うように並べて配置され、すなわち、隣接する電解槽同士は、それぞれの幅方向に対向する幅狭の側面同士が対向するように配置されている。この電解槽の幅狭の側面は、電解槽の幅広の側面と比較して、水の電気分解に伴う厚さ方向の膨張／収縮が小さい。そのため、本態様に係る電解水生成装置では、幅広の側面同士を対向させるように電解槽を整列させた場合と比較して、電解槽の膨張／収縮に対するマージン分を小さくすることができ、複数の電解槽同士の間隔を狭めることができる。また、例えば、一定の期間毎に電解槽を交換するような場合において、作業者が上記の分割フレームに対峙したとき、作業者から見た電解槽の面積が広くなるため、電解槽の交換作業における作業容易性を高めることができる。
【００１３】
本発明の第２態様では、第１態様記載の電解水生成装置において、電解槽ユニットに水を供給する給水路と、電解槽ユニットで電気分解された電解水素水を受ける出水路とが設けられている。各電解槽ユニットは、下流端部が電解槽に接続された給水管と、上流端部が電解槽に接続された出水管とを備えている。そして、給水管の上流端部および出水管の下流端部は、分割フレームに沿う方向に電解槽と並べられた状態に配置され、かつ、その並べられた状態でそれぞれ給水路および出水路に接続されるように構成されている。
【００１４】
本態様によると、給水管の上流端部および出水管の下流端部は、分割フレームに沿う方向に電解槽と並べられて配置されており、その位置で給水路および出水路に接続されている。これにより、給水管の上流端部と給水路との接続部分、および出水管の下流端部と出水路との接続部分は、仮に電解槽が厚さ方向に膨張／収縮した場合においても、その影響を受けることがない。すわなち、上記の接続部分の配置について、電解槽の膨張／収縮に応じた余裕を持たせる必要がない。これにより、給水管および出水管が取り付けられた状態においても、複数の電解槽同士（電解槽ユニット同士）の間隔を狭めることができる。さらに、給水管の上流端部および出水管の下流端部は、分割フレームに沿う方向に電解槽と並べられて配置されているため、例えば、一定の期間毎に電解槽を交換するような場合において、作業者が分割フレーム（所定の平面）に対峙したとき、各電解槽の交換作業（各給水管および出水管の取り付け／取り外し作業等）における作業容易性を高めることができる。
【００１５】
本発明の第３態様では、第２態様記載の電解水生成装置において、電解槽ユニットと給水路および出水路との間において水の流路を制御する流路弁が、分割フレームに沿う方向に電解槽と並べられて設けられている。そして、給水管の上流端部および出水管の下流端部は、流路弁を介してそれぞれ給水路および出水路に接続されるように構成されている。
【００１６】
本態様によると、流路弁は、分割フレームに沿う方向に電解槽と並べられて設けられている。これにより、流路弁の配置や、流路弁と、給水管の上流端部および出水管の下流端部との接続部分の配置について、電解槽の膨張／収縮に応じた余裕を持たせる必要がない。これにより、給水管および出水管に加えて、流路弁が取り付けられた状態においても、複数の電解槽同士（電解槽ユニット同士）の間隔を狭めることができるとともに、各電解槽の交換作業（各給水管および出水管の取り付け／取り外し作業等）における作業容易性を高めることができる。
【００１７】
本発明の第４態様では、第３態様記載の電解水生成装置において、各電解槽の側面には、格子状のリブが一体的に形成されていることを特徴とする。
【００１８】
本態様によると、電解槽の側面に格子状のリブが形成されているため、水の電気分解時における電解槽側面の膨張／収縮を抑制することができる。これにより、複数の電解槽同士（電解槽ユニット同士）の間隔をより狭めることが可能になる。
【００１９】
本発明の第５態様では、第１態様記載の電解水生成装置において、各電解槽は、分割フレームとの対向面側に一体的に形成された突状部と、その突状部の先端に一体的に形成された頭部と、突状部と頭部との間に周方向に沿って凹陥するように形成されたくびれ部とからなる係止部を有する。そして、分割フレームには、頭部の外径よりも若干大きい挿入部と、その挿入部と連続して形成され、頭部の外径よりも小さくかつくびれ部の外径よりも大きい抜け止め部とからなる抜け止め孔が形成されていることを特徴とする。
【００２０】
本態様によると、各電解槽の係止部が、そのくびれ部において分割フレームの抜け止め孔の抜け止め部に抜け止めされることにより、各電解槽は分割フレームに係止される。このとき、分割フレームと、分割フレームに対向する側の電解槽表面との間には、突状部の突出高さ分だけ空隙が設けられる。これにより、電解槽の厚さ方向への膨張／収縮の発生に応じて、上記の空隙を最適な値に設定することができる。したがって、電解槽の厚さ方向への膨張／収縮による装置本体（分割フレーム）への影響を回避しつつ、その電解槽の厚さ方向における電解槽の配置構造を最適化することができる。また、電解槽は、分割フレームに沿って並べられて配置されており、本態様のような構成とすることにより、各電解槽を分割フレームに取り付け／取り外しする際の作業容易性を高めることができる。
【発明の効果】
【００２１】
本発明によれば、矩形箱状の電解槽を含む電解槽ユニットを複数個有する電解水生成装置において、水の電気分解に伴う電解槽の厚さ方向の膨張／収縮の影響を受けないように電解槽を配置することができるため、複数の電解槽同士の間隔を狭めて配置することが可能となる。加えて、例えば、一定の期間毎に電解槽を交換するような場合において、作業者が分割フレーム（所定の平面）に対峙したとき、作業者から見た電解槽の面積を広くすることができるため、電解槽の交換作業における作業容易性を高めることができる。
【図面の簡単な説明】
【００２２】
【図１】実施形態に係る電解水生成装置を左斜め上側から見た一部分解斜視図である。
【図２】取付扉を取り外した状態における電解水生成装置の左側面図である。
【図３】（ａ）は図１のＡ−Ａ線断面図であり、（ｂ）は図２（ａ）の領域Ｘを拡大した図である。
【図４】図１のＢ−Ｂ線断面図である。
【図５】電解水生成装置の底面図である。
【図６】電解槽ユニットを斜め上側（表）から見た分解斜視図である。
【図７】電解槽ユニットを斜め上側（表）から見た斜視図である。
【図８】電解槽ユニットを斜め上側（裏）から見た斜視図、および係止部の拡大斜視図である。
【図９】ユニット固定具を斜め上側から見た斜視図である。
【図１０】電解水生成装置内の水の流れを模式的に示した図である。
【図１１】電解水生成装置の水路図である。
【図１２】（ａ）は制御パネルの概念図であり、（ｂ）および（ｃ）はその表示部の表示例を示した図である。
【発明を実施するための形態】
【００２３】
以下、本発明の実施形態を図面に基づいて詳細に説明する。以下の好ましい実施形態の説明は、本質的に例示に過ぎず、本発明、その適用範囲あるいはその用途を制限することを意図するものではない。
【００２４】
図１〜図４に示すように、電解水生成装置１０は、３つの電解槽ユニット２０，２０，２０と、給水路６１と、出水路としての取水路６２と、出水路としての排水路６３と、電源などを含む電装部１９と、制御回路１７等が搭載された制御基板１８と、これらを収容するためのハウジング１１とを備えている。また、給水路６１、取水路６２および排水路６３は、ハウジング１１内の右下側に設けられている。
【００２５】
ハウジング１１は、前後方向において、互いに対向して配置された前面パネル１１ａおよび背面パネル１１ｂと、前面パネル１１ａおよび背面パネル１１ｂの上端同士、下端同士および右端同士をそれぞれ一体に接続する上面パネル１１ｃ、底パネル１１ｄおよび右面パネル１１ｅとを備えている。ハウジング１１の左右方向の中間部分には、ハウジング１１の左側の３つの電解槽ユニット２０，２０，２０を収容する取付空間１５と、ハウジング１１の右側の給水路６１、取水路６２、排水路６３（以下、これらをまとめて通水路ともいう）、制御基板１８および電装部１９を収容する空間とを区画する板状の第１分割フレーム１３が設けられており、この第１分割フレーム１３は、本発明でいう分割フレームおよびハウジングを構成している。また、ハウジング１１の右側上部の制御基板１８および電装部１９を収容する空間と、ハウジング１１の右側下部の給水路６１、取水路６２および排水路６３を収容する空間とは、ハウジングの右側における上下方向の中間に設けられた板状の第２分割フレーム１４で区画されている。これにより、３つの電解槽ユニット２０，２０，２０が収容された取付空間１５および通水路等と、制御基板１８および電装部１９とは物理的に完全に分離されており、仮に電解槽ユニット２０や通水路等からハウジング１１内に水が吐出されたとしても、その水が制御基板１８や電装部１９に浸入することを防止することができる。なお、本実施形態の説明において、「前」とは前面パネル１１ａ側を、「後」とは背面パネル１１ｂ側を指すものとする。
【００２６】
図１に示すように、第１分割フレーム１３には、前後方向の中間に左右方向に貫通する６つの電解槽支持孔１３ａ，１３ａ，…が前後方向に並べて形成されている。この各電解槽支持孔１３ａは、後述する電解槽２１の裏面にねじ止めされた丸頭ねじ３５（図８参照）の頭部の外径よりも若干大きく形成されて上記の頭部が挿入可能な挿入部１３ｃと、挿入部１３ｃから下側に連続形成され、丸頭ねじ３５（図８参照）の頭部の外径よりも小さくかつ後述する電解槽２１における係止部２２ｊのくびれ部２２ｉ（図８参照）の外径よりも大きい幅の長孔（スリット）からなる抜け止め部１３ｄとを有する。また、第１分割フレーム１３には、各電解槽ユニット２０を第１分割フレーム１３に固定するための各２個のねじ孔１３ｂ，１３ｂが前後方向に並べて形成されている。
【００２７】
また、このハウジング１１左側の開口（取付空間１５の開口）は、通常の使用時は、着脱可能な板状の取付扉１２によって閉塞されている。取付扉１２には、その前後方向および上下方向の隅角部にねじ挿通孔１２ｂ，１２ｂ，…が形成されている。そして、取付扉１２は、ねじ挿通孔１２ｂ，１２ｂ，…を通るねじ３７，３７，…によりハウジング１１のねじ孔１１ｋ，１１ｋ，…に工具を用いて螺合固定されている。また、取付扉１２の下側における前後方向の両側には、凹陥する把持部１２ａ，１２ａが形成され、作業者は、把持部１２ａ，１２ａを持って、取付扉１２の取り付け／取り外しを行う。
【００２８】
図１および図２に示すように、３つの電解槽２１，２１，２１は、第１分割フレーム１３に沿って、各電解槽２１の厚さ方向に対向する幅広の側面が第１分割フレーム１３と平行になった状態で、取付空間１５の後端部から前後方向に並べられて配置されている。すなわち、３つの電解槽２１，２１，２１は、所定の平面としての第１分割フレーム１３に沿って、各電解槽２１の表面や裏面（幅広の側面）が第１分割フレーム１３と平行になった状態で並べられて配置されている。このような構成とすることにより、各電解槽２１の幅広の側面同士を対向させるように電解槽を整列させた場合と比較して、電解槽の膨張／収縮に対するマージン分を小さくすることができ、電解槽２１，２１，２１同士の間隔を狭めることができる。
【００２９】
なお、本実施形態の説明において、「表」とは電解槽ユニット２０が電解水生成装置１０内に取り付けられた際に、その取付扉１２と対向する側を指す一方、「裏」とは上記取り付けされた際に、電解槽ユニット２０が第１分割フレーム１３と対向する側を指すものとする。また、「上」とは上記取り付けされた際に、後述する電解槽２１のケーシング本体２２（図６参照）側を指すものとし、「下」とは後述する電解槽２１のケーシング蓋２３（図６参照）側を指すものとする。
【００３０】
また、本開示において、「平行に並べられて配置されている」とは、実質的に平行に並べられて配置されていることを指すものとし、電解槽２１が第１分割フレーム１３と平行な状態から少し傾いた状態で配置されていても同様の効果が得られる。
【００３１】
３つの電解槽２１，２１，２１のうちで最も前に配置された電解槽２１（以下、説明の便宜上、第１電解槽２１ともいう）と取付空間１５の前端との間には、配置スペース１６が形成されている。この配置スペース１６において、すなわち、第１電解槽２１の近傍において、その第１電解槽２１の中間の高さ位置には、リセットスイッチ９０が設けられている。リセットスイッチ９０は、リセットスイッチであることを示す文字（図では「リセット」と記載）が表示された本体９１と、本体９１の中央部分に設けられ、押下することにより後述する制御回路１７が保持する電解槽２１の使用時間をリセットするスイッチ９２とを備えている。このように、リセットスイッチ９０を第１電解槽２１の近傍の中間の高さ位置に設けることによって、高い視認性を確保することができる。これにより、リセットスイッチ９０（スイッチ９２）の押し忘れを防止することができる。
【００３２】
図１および図１２（ａ）に示すように、ハウジング１１の前面パネル１１ａの上側には、使用者の操作を受ける操作部６６ａと、使用水量、使用時間、電解槽の交換時期等の表示を行う表示部６６ｂとを備えた制御パネル６６が設けられている。操作部６６ａは、取水口６２ｄからの出水のＯＮ／ＯＦＦを制御するスタートスイッチ６６ｃと、表示部６６ｂに表示する内容を切り替える表示切替スイッチ６６ｄと、電解水素水を取水口６２ｄから取水する（出水させる）電解水素水（還元水）モードを選択するためのモードスイッチ６６ｆと、混合水を取水口６２ｄから取水する（出水させる）混合水モードを選択するためのモードスイッチ６６ｇと、酸性水を取水口６２ｄから取水する（出水させる）酸性水モードを選択するためのモードスイッチ６６ｈと、各電解モード（電解水素水（還元水）モード、混合水モード、酸性水モード）における取水量を設定する取水量設定スイッチ６６ｅとを備える。
【００３３】
制御基板１８に搭載された制御回路１７は、制御パネル６６の操作部６６ａに受けた使用者の操作に基づいて、電解槽２１への供給電圧の制御、供給電流の制御、および後述するダブルクロスライン弁５０の制御、表示部６６ｂへの表示項目の選択等を実施する。さらに、積算手段としての機能も備えている制御回路１７は、電解槽２１の使用時間を積算する。ここで、電解槽２１の使用時間とは、電解槽２１に通電されている期間を積算した使用時間（以下、第１使用時間ともいう）と、電解槽２１が交換されてから次にリセットスイッチ９０（スイッチ９２）が押されるまでのトータルの期間を積算した使用時間（以下、第２使用時間ともいう）の両方を含む概念である。
【００３４】
ハウジング１１の背面パネル１１ｂには、前後方向に貫通する貫通孔（図示しない）が形成されている。給水路６１は、前後方向に延びる円筒状の第１給水路６１ａを有しており、第１給水路６１ａと一体に接続された給水路端部６１ｃが上記貫通孔から後側に向かって突出するように設けられている。給水路端部６１ｃの後端には、給水口６１ｄが形成されており、第１給水路６１ａは、給水口６１ｄおよび給水路端部６１ｃを介してハウジング１１外部からの給水を受ける。そして、第１給水路６１ａは、前後方向に延びており、かつ、中心の上下方向の高さが第１給水路６１ａと同じ位置になるように構成された第２給水路６１ｂに給水する。
【００３５】
ハウジング１１前側の下端寄りの部位には、前後方向に貫通する２つの貫通孔が左右方向に並べて形成されている。取水路６２は、前後方向に延びる円筒状の主取水路６２ａを有しており、主取水路６２ａと一体に接続された取水路端部６２ｃがハウジング１１前側の左側貫通孔から前側に向かって突出するように設けられている。取水路端部６２ｃの前端部には、ハウジング１１の前側に向かって開口する取水口６２ｄが形成されており、電解槽２１で電解された電解水素水が主取水路６２ａおよび取水路端部６２ｃを介して取水口６２ｄから出水される。
【００３６】
排水路６３は、前後方向に延びる円筒状の主排水路６３ａを有しており、主排水路６３ａと一体に接続された排水路端部６３ｃがハウジング１１前側の右側貫通孔から前側に向かって突出するように設けられている。排水路端部６３ｃの前端部には、ハウジング１１の前側に向かって開口する排水口６３ｄが形成されており、電解槽ユニット２０等から出た排水が主排水路６３ａおよび排水路端部６３ｃを介して排水口６３ｄから排出される。
【００３７】
図３および図５に示すように、ハウジング１１の底パネル１１ｄの左後側には、ハウジング１１内に吐水された水を排出するためのスリット８１が形成されている。スリット８１は、底パネル１１ｄの左端部から右方向に延び、かつ、前後方向に並べて形成された複数本の長孔からなり、各長孔は、底パネル１１ｄの上下方向に貫通している。また、底パネル１１ｄの下面の隅角部には、電解水生成装置１０を支える脚部８３，８３…が設けられている。
【００３８】
ハウジング１１内の左側において、底パネル１１ｄの上には、固定パネル１３ｆが設けられている。固定パネル１３ｆは、図３（ｂ）に示すように、断面視でＵ字形状のベース部１３ｇと、そのベース部の左側端部から左側に延びるように折り曲げられて接続された板状の固定部１３ｈとを有する。固定パネル１３ｆのベース部１３ｇの底部と底パネル１１ｄとは、ねじ止め固定されている。固定部１３ｈには、上下方向に貫通するねじ孔が形成されている。また、固定部１３ｈには、スリット８１と対応する位置に、Ｌ字状のＬ字スリット８２が複数本、前後方向に並べて形成されている（図３（ｂ）参照）。これにより、ハウジング１１内に水漏れ等が発生した場合でも、水は、Ｌ字スリット８２およびスリット８１を介してハウジング１１外に排出される。
【００３９】
［電解槽ユニット］
次に、図６〜図１０に基づいて、電解槽ユニット２０について詳細に説明する。
【００４０】
図６〜図８に示すように、電解槽ユニット２０は、水を電気分解する箱型状（樹脂製）の電解槽２１と、２つの給水管２４と、２つの出水管２５と、固定具２６とを備えている。
【００４１】
図６および図１０に示すように、電解槽２１は、下面が開口した矩形箱状のケーシング本体２２と、ケーシング本体２２の下面開口を密閉するケーシング蓋２３と、ケーシング本体２２内に収納された隔膜４１と、２つの電極板４５ｂ，４６ｂとを備えている。ケーシング本体２２の側面には、その周方向全体にわたって、格子状のリブ２２ｋが一体的に形成されている。また、ケーシング本体２２とケーシング蓋２３とは、ねじ止めによって固定されている。
【００４２】
図６〜図８に示すように、ケーシング本体２２の上面には、その幅方向（表裏方向と直交する方向）の両端付近において、それぞれ、上側に突出する凸部２２ａが２つ設けられている。それぞれの凸部２２ａの表側端面には管挿入口２２ｂが開口されており、この管挿入口２２ｂは、裏側に向かった後に下側に向かうように折れ曲がった水路（図示しない）を介してケーシング本体２２の内部に連通している。また、それぞれの凸部の幅方向両側には、電解槽２１を第１分割フレーム１３に固定するためのねじ３６を挿通するためのねじ挿通部２２ｇが一体形成されている。
【００４３】
さらに、図８に示すように、ケーシング本体２２の裏側における下端寄りの部位には、ケーシング本体２２の幅方向の両側に筒状の突状部２２ｈ，２２ｈが一体的に形成されている。突状部２２ｈの内部はねじ穴になっており、それぞれに丸頭ねじ３５，３５が螺合されて取り付けられている。さらに、丸頭ねじ３５を突状部２２ｈに締結した状態では、丸頭ねじ３５の頭部と突状部２２ｈとの間に所定間隔の隙間が生じるようになっており、この隙間により、突状部２２ｈの先端部に丸頭ねじ３５の頭部よりも若干細く形成されたくびれ部２２ｉが形成されており、そのくびれ部２２ｉの外径は、上述の電解槽支持孔１３ａの抜け止め部１３ｄ（図１参照）への嵌め込みが可能な大きさに形成されている。係止部２２ｊは、突状部２２ｈおよびくびれ部２２ｉにより構成されている。なお、図８には、係止部２２ｊの要部を拡大して示している。
【００４４】
出水管２５，２５をそれぞれ上記管挿入口２２ｂ，２２ｂに接続したときに出水管２５を抜け止めするための抜け止め具２９ａ，２９ａが設けられている。各抜け止め具２９ａは、幅方向内側から外側に向かって切り欠かれたＵ字状の切欠き２９ｂが形成されており、幅方向外端部には、表裏方向に貫通するねじ挿通孔２９ｃが形成されている。抜け止め具２９ａは、後述する接続具２５ｂの凹部２５ｃに対して、幅方向の外側から内側に向かって取り付けられ、その状態で、接続具２５ｂの端部は、ケーシング本体２２上部の管挿入口２２ｂに表側から挿入され、その後、抜け止め具２９ａは、ねじ挿通孔２９ｃに挿通されるねじ３１によってケーシング本体２２に固定されるようになっている。
【００４５】
ケーシング蓋２３には、表裏方向の中間であり、かつ幅方向の両端付近において、上下方向に貫通する２つの貫通孔２３ａ，２３ａが形成されている。抜け止め具２９ｄ，２９ｄは、給水管２４，２４をそれぞれ上記貫通孔２３ａ，２３ａに接続したときに給水管２４を抜け止めするためのものである。各抜け止め具２９ｄは、表側から裏側に向かってＵ字状の切欠き２９ｅが形成されており、裏側端部には上下方向に貫通するねじ挿通孔２９ｆが形成されている。抜け止め具２９ｄは、後述する接続具２４ｂの凹部２４ｃに裏側から表側に向かって取り付けられ、その状態で、接続具２４ｂの端部は、ケーシング蓋２３の下側から貫通孔２３ａに挿入され、その後、抜け止め具２９ｄは、ねじ挿通孔２９ｆに挿通されるねじ３２によってケーシング蓋２３に固定されるようになっている。すなわち、抜け止め具２９ｄをケーシング蓋２３に固定することによって、貫通孔２３ａ，２３ａに接続された給水管２４を抜け止めしている。
【００４６】
給水管２４は、フレキシブル管２４ａと、一端がフレキシブル管２４ａの一端（下流端）に液密状に嵌め込まれた円筒状の接続具２４ｂと、一端がフレキシブル管２４ａの他端（上流端）に液密状に嵌め込まれた円筒状の接続具２４ｅとを備えており、接続具２４ｂ，２４ｅはクランプ（留め具）によってフレキシブル管２４ａに固定されている。接続具２４ｂの他端側（フレキシブル管２４ａの外に露出した部分）には、接続具２４ｂの周方向全体に沿って溝状の凹部２４ｃが形成されており、その凹部２４ｃと接続具２４ｂの他端との間にはＯリング２４ｄが取り付けられている。同様に、接続具２４ｅの他端寄りの部位（フレキシブル管２４ａの外に露出した部分）には、接続具２４ｅの周方向全体に沿って凹部２４ｆが形成されており、その凹部２４ｆと接続具２４ｅの他端との間にはＯリング２４ｇが取り付けられている。
【００４７】
出水管２５は、フレキシブル管２５ａと、一端がフレキシブル管２５ａの一端（上流端）に液密状に嵌め込まれた円筒状の接続具２５ｂと、一端がフレキシブル管２５ａの他端（下流端）に液密状に嵌め込まれた円筒状の接続具２５ｅとを備えており、接続具２５ｂ，２５ｅはクランプ（留め具）によってフレキシブル管２５ａに固定されている。接続具２５ｂの他端側（フレキシブル管２５ａの外に露出した部分）には、接続具２５ｂの周方向全体に沿って凹部２５ｃが形成されており、その凹部２５ｃと接続具２５ｂの他端との間にはＯリング２５ｄが取り付けられている。同様に、接続具２５ｅの他端側（フレキシブル管２５ａの外に露出した部分）には、接続具２５ｅの周方向全体に沿って凹部２５ｆが形成されており、その凹部２５ｆと接続具２５ｅの他端との間にはＯリング２５ｇが取り付けられている。なお、本態様では、給水管２４の接続具２４ｅと、出水管２５の接続具２５ｅとは同じ形状および同じサイズであるものとして説明する。
【００４８】
上記固定具２６は、給水管２４の接続具２４ｅおよび出水管２５の接続具２５ｅを固定する固定板２７と、固定板２７にねじ止めによって着脱可能に構成された支持部材２８とを備えている。
【００４９】
固定板２７は、幅方向に延びる矩形状のベース板２７ａと、ベース板２７ａの上端に裏側に延びるように折り曲げられて接続された上折返部２７ｂと、ベース板２７ａの下端に表側に延びるように折り曲げられて接続された下折返部２７ｃとを有する。固定板２７は、さらにベース板２７ａの幅方向の両端において、それぞれ表側に折り曲げられて接続された側折返部２７ｄを有している。側折返部２７ｄの表端は、それぞれ幅方向外側に折り曲げられて接続されており、それぞれの折り曲げ部分の上端部には、ねじ挿通孔２７ｈが形成されている。
【００５０】
ベース板２７ａには、上下方向の中間部分において、表裏方向に貫通する抜け止め孔２７ｅが幅方向に４つ並べて形成されている。抜け止め孔２７ｅは、接続具２４ｅの他端の径よりも若干大きく形成された挿入部２７ｆと、挿入部２７ｆから上方向に連続して形成され、接続具２４ｅ他端の外径よりも小さく、かつ凹部２４ｆの外径よりも大きい径の抜け止め部２７ｇとにより構成されている。また、ベース板２７ａには、幅方向中央の下部に、ねじ孔２７ｉが形成されている。
【００５１】
支持部材２８は、ベース板２７ａと対向するように設けられ、ベース板２７ａのねじ孔２７ｉと対応する位置に、ねじ３４を挿通するねじ挿通孔２８ｅが形成されたベース板２８ａと、ベース板２８ａの上端部から表側に延びるように折り曲げられた第１支持部２８ｂと、その第１支持部２８ｂの表端部から下向きに延びるように折り曲げられており、作業者が把持するための把持部２８ｄと、ベース板２８ａの下端部から表側に延びるように折り曲げられて接続された第２支持部２８ｃとを有している。そして、支持部材２８は、固定板２７の下折返部２７ｃに第２支持部２８ｃを当接させた状態で、ねじ３４によって固定板２７にねじ止め固定される。なお、上記把持部２８ｄの幅方向中間部分の下側は、ねじ３４のねじ止めがしやすいように逆Ｕ字状に切り欠かれている。
【００５２】
ここで、ベース板２８ａの上下方向の高さ位置は、支持部材２８を固定板２７に固定した際に、ベース板２８ａの上端が挿入部２７ｆの下端よりも上側になるように設定する。これにより、２つの給水管２４，２４の接続具２４ｅ，２４ｅおよび２つの出水管２５，２５の接続具２５ｅ，２５ｅは、これらの他端の開口端面が同一方向を向くように整列した状態で固定板２７に取り付けられ、抜け止め固定される。
【００５３】
具体的には、２つの接続具２４ｅ，２４ｅは、固定板２７の幅方向一側（例えば、図６の右側）にある２つの抜け止め孔２７ｅ，２７ｅの挿入部２７ｆ，２７ｆに対して、表側からそれぞれの接続具２４ｅの凹部２４ｆが固定板２７のベース板２７ａと面一になる位置まで挿入される。同様に、２つの接続具２５ｅ，２５ｅは、固定板２７の幅方向他側（例えば、図６の左側）にある２つの抜け止め孔２７ｅ，２７ｅの挿入部２７ｆ，２７ｆに対して、表側からそれぞれの接続具２５ｅの凹部２５ｆが固定板２７のベース板２７ａと面一になる位置（挿入位置）まで挿入される。その状態で、４つの接続具２４ｅ，２４ｅ，２５ｅ，２５ｅは、それぞれ上に向かってスライドされ、抜け止め部２７ｇ，２７ｇ，２７ｇ，２７ｇ（抜け止め位置）に嵌め込まれる。支持部材２８は、上に向かってスライドされた４つの接続具２４ｅ，２４ｅ，２５ｅ，２５ｅの下側にそれらを押し上げて支持した状態で挿入され、ねじ３４によって固定板２７にねじ止め固定される。これにより、４つの接続具２４ｅ，２４ｅ，２５ｅ，２５ｅは、固定板２７に一体的に抜け止め固定される。
【００５４】
［ユニット固定具］
図９に示すように、ユニット固定具７０は、上下方向に延びており、平面視において、裏側に向かって凹陥するＵ字状のベース板７０ａと、ベース板７０ａのＵ字状底部の上端に裏側に延びるように折り曲げられて接続された上折返部７０ｂと、ベース板７０ａの左右端において、それぞれ幅方向外側に折り曲げられて接続された側折返部７０ｃとを有している。ユニット固定具７０は、さらに、それぞれの側折返部７０ｃの下端において、表側に折り曲げられて接続された下折返部７０ｄを有している。上折返部７０ｂの裏端部は、上側に折り曲げられており、その幅方向中間部分には、表裏方向に貫通するねじ挿通孔７０ｇが形成されている。また、下折返部７０ｄには、ねじ挿通孔７０ｆが形成されている。そして、ユニット固定具７０は、ねじ挿通孔７０ｇを通るねじ７５により上記第１分割フレーム１３に、また、ねじ挿通孔７０ｆを通るねじ７６によりハウジング１１の固定パネル１３ｆの固定部にそれぞれ螺合固定されている。また、ユニット固定具７０のそれぞれの側折返部７０ｃにおいて、その上下方向の中間部分には、表裏方向に貫通するねじ孔７０ｅが形成されている。そして、上記固定板２７は、ねじ挿通孔２７ｈ，２７ｈを通るねじ３３，３３によりねじ孔７０ｅ，７０ｅに螺合させることでねじ止め固定される。
【００５５】
このように、装置本体（ハウジング１１内）の取付扉１２寄りの部位にユニット固定具７０を取り付けることによって、作業者がハウジング１１の左側から着脱作業を行う場合に、固定具２６のユニット固定具７０への取付位置（固定位置）は、電解槽２１が配置される位置よりも作業者に近い位置とすることができる。これにより、作業者による作業容易性が向上する。
【００５６】
ベース板７０ａの凹陥部分には、幅方向に延びる円筒状のダブルクロスライン弁５０（流路弁）が収納されており、ダブルクロスライン弁５０は、ねじ止めによってベース板７０ａに固定されている。換言すると、電解槽２１が第１分割フレーム１３に固定され、ダブルクロスライン弁５０がベース板７０ａに固定された状態において、電解槽２１とダブルクロスライン弁５０とは、上下方向（第１分割フレーム１３に沿う方向）に並べられて配置されている。
【００５７】
より具体的には、電解槽２１およびダブルクロスライン弁５０は、第１分割フレーム１３から電解槽２１の表端部までの距離Ｌ１（図３参照）よりも、第１分割フレーム１３からダブルクロスライン弁５０の表端部までの距離Ｌ２（図３参照）が短くなる位置にそれぞれ配置されている。
【００５８】
ダブルクロスライン弁５０の表側には、４つの接続具２４ｅ，２４ｅ，２５ｅ，２５ｅが接続される４つの筒状の接続部５７，５７，５７，５７が突設するように一体に形成されている。それぞれの接続部５７の表側端面には管挿入口５７ａが開口されており、この管挿入口５７ａは、裏側に向かう水路を介してダブルクロスライン弁５０内部に連通している。すなわち、給水管２４，２４および出水管２５，２５は、接続部５７，５７，５７，５７の管挿入口５７ａ，５７ａ，…を介して、それぞれ、給水路６１並びに、出水路としての取水路６２および排水路６３に接続される。換言すると、４つの接続具２４ｅ，２４ｅ，２５ｅ，２５ｅは、電解槽２１と上下方向（第１分割フレーム１３に沿う方向）に並べて配置された状態で４つの接続部５７，５７，…に接続されている。
【００５９】
より具体的には、電解槽ユニット２０の４つの接続具２４ｅ，２４ｅ，２５ｅ，２５ｅを４つの接続部５７，５７，…に接続した状態において、その接続位置から第１分割フレーム１３までの距離Ｌ２（図３参照）が、電解槽ユニット２０の表端部から第１分割フレーム１３までの距離Ｌ３（図３参照）よりも、短くなるように構成されている。
【００６０】
ベース板７０ａの幅方向の側板は、ダブルクロスライン弁５０の図面左側にあたる部分が矩形状に切り欠かれている。モータ６０は、ベース板７０ａの側板の幅方向外側に設けられており、上記矩形状の切り欠き部分を介してダブルクロスライン弁５０に駆動連結されている。モータ６０は、ダブルクロスライン弁５０の第１および第２切替弁５１，５２（図１０参照）と、第１および第２流量制御弁５３，５４（図１０参照）とを駆動する。なお、第１切替弁５１と第２切替弁５２とは、同期して作動（すなわち、連動）する弁であり、第１流量制御弁５３と第２流量制御弁５４とは同期して作動（すなわち、連動）する弁である。なお、第１切替弁５１と第２切替弁５２とが連動せずに、それぞれ別々に駆動されるようにしてもよい。同様に、第１流量制御弁５３と第２流量制御弁５４とが連動せずに、それぞれ別々に駆動されるようにしてもよい。
【００６１】
ベース板７０ａの表裏方向の底板は、下端から上方向に向かって逆Ｕ字状に切り欠かれている。また、第１分割フレーム１３（図３参照）には、上記の逆Ｕ字状の切り欠き部分と対応する位置に左右方向の貫通孔が形成されている。そして、ダブルクロスライン弁５０の下側には、上記逆Ｕ字状の切り欠き部分および貫通孔を介して右方向に延びる比率調整ユニット６１ｅが設けられており、ダブルクロスライン弁５０と第２給水路６１ｂとを接続している。同様に、ダブルクロスライン弁５０の下側には、上記逆Ｕ字状の切り欠き部分および貫通孔を介して右下方向に延びる接続取水路６２ｂおよび接続排水路６３ｂが設けられており、ダブルクロスライン弁５０と、主取水路６２ａおよび主排水路６３ａとをそれぞれ接続している。
【００６２】
このように、ダブルクロスライン弁５０よりも低い位置に接続水路や通水路を設けることにより、電解槽ユニット２０の着脱時において、仮に接続水路や通水路に水が残っていたとしても、その残水がハウジング１１内に吐出されるのを防止することができるようにしている。
【００６３】
図１１は、給水口６１ｄから供給された水が、取水口６２ｄおよび排水口６３ｄから出水するまでの水路の概念図である。
【００６４】
給水口６１ｄおよび給水路端部６１ｃを介してハウジング外部から給水された水は、図１１に示すように、電磁弁５５、減圧弁５６および流量センサ５８を介して第１給水路６１ａに供給される。電磁弁５５は、電解水生成装置１０の使用時には開放され、不使用時には閉塞される弁である。減圧弁５６は、ハウジング外部から給水された水を所定の圧力に減圧する弁であり、流量センサ５８は、給水路６１に通水される流量を計測するセンサである。
【００６５】
第１給水路６１ａを流れる水は、分岐水路６４によって２つに分岐され、２つの分岐水路６４，６４からそれぞれ第２給水路６１ｂに給水される。具体的には、２つの分岐水路６４，６４の一端は、第１給水路６１ａに接続されており、２つの分岐水路６４，６４の他端は、それぞれ、第２給水路６１ｂにおいて、隣接する２つの電解槽ユニット２０，２０間を接続する部位に接続されている。これにより、第１給水路６１ａに給水された水が分岐水路６４，６４および配管継手６７を介して、実質的に均等に分配されて第２給水路６１ｂに供給され、その後、実質的に均等に分配された水が各電解槽２１に供給される。図１１において、６７は配管継手を示しており、６８は逆止弁付きの配管継手を示している。
【００６６】
次に、給水路６１から給水された水が電解槽２１で電気分解されて取水路６２および排水路６３に出水されるまでの動作について、図１０，図１１を用いて詳細に説明する。
【００６７】
まず、電解槽２１内において、第１電極室４５ａが陰極室であり、第２電極室４６ａが陽極室である場合について説明する。このとき、電極板４５ｂは陰極であり、電極板４６ｂは陽極である。また、第１切替弁５１および第２切替弁５２は、図１０の実線の状態に切り替えられている。
【００６８】
第２給水路６１ｂから給水された水は、比率調整ユニット６１ｅで２つに分岐されて、ダブルクロスライン弁５０に流入する。比率調整ユニット６１ｅの一方の経路から流入された水は、第１切替弁５１および一方の給水管２４（以下、説明の便宜上「第１給水管２４」という）を介して、第１電極室（陰極室）４５ａに流入する。そして、第１電極室４５ａで生成された電解水素水は、一方の出水管２５（以下、説明の便宜上「第１出水管２５」という）、第２切替弁５２および第２流量制御弁５４を介して、接続取水路６２ｂおよび主取水路６２ａを経由して、取水口６２ｄから取り出される（図１１参照）。一方で、比率調整ユニット６１ｅの他方の経路から流入された水は、第１流量制御弁５３、第１切替弁５１および他方の給水管２４（以下、説明の便宜上「第２給水管２４」という）を介して、第２電極室（陽極室）４６ａに流入する。そして、第２電極室４６ａで生成された酸性水は、他方の出水管２５（以下、説明の便宜上「第２出水管２５」という）および第２切替弁５２を介して出水され、接続排水路６３ｂおよび主排水路６３ａを経由して、排水口６３ｄから排出される（図１１参照）。
【００６９】
次に、電解槽２１内において、第１電極室４５ａが陽極室であり、第２電極室４６ａが陰極室である場合について説明する。このとき、電極板４５ｂは陽極であり、電極板４６ｂは陰極である。また、第１切替弁５１および第２切替弁５２は、図１０の破線の状態に切り替えられている。
【００７０】
比率調整ユニット６１ｅの一方の経路から流入された水は、第１切替弁５１および第２給水管２４を介して、第２電極室（陰極室）４６ａに流入する。そして、第２電極室４６ａで生成された電解水素水は、第２出水管２５、第２切替弁５２および第２流量制御弁５４を介して、接続取水路６２ｂおよび主取水路６２ａを経由して、取水口６２ｄから取り出される（図１１参照）。一方で、比率調整ユニット６１ｅの他方の経路から流入された水は、第１流量制御弁５３、第１切替弁５１および第１給水管２４を介して、第１電極室（陽極室）４５ａに流入する。そして、第１電極室４５ａで生成された酸性水は、第１出水管２５および第２切替弁５２を介して出水され、接続排水路６３ｂおよび主排水路６３ａを経由して、排水口６３ｄから排出される（図１１参照）。
【００７１】
なお、使用者の要求に応じて、第１および第２流量制御弁５３，５４を作動させることにより、主取水路６２ａに出水する電解水素水と、主排水路に出水する酸性水との流量調整を行うことができる。
【００７２】
再び、図１１に示すように、第２給水路６１ｂと主排水路６３ａとの間には、電磁弁５９が設けられている。電磁弁５９は、電解水生成装置１０の使用時には閉塞され、不使用時には開放される弁である。すなわち、電磁弁５９は、電解水生成装置１０の不使用時に第１給水路６１ａ、分岐水路６４および第２給水路６１ｂ内に残っている水を排出するための弁である。
【００７３】
［電解水生成装置の制御動作］
次に、電解水生成装置１０の制御動作について詳細に説明する。初期状態における電解槽２１の使用時間は「０」であるものとする。すなわち、初期状態における制御回路１７の使用時間のカウント値は、「０」であるものとする。
【００７４】
まず、電解水生成装置１０が電源に接続されると、制御回路１７は、電解槽２１が交換されてから次にリセットスイッチ９０（スイッチ９２）が押されるまでのトータルの期間である第２使用時間のカウントを開始する。その後、使用者が電解水生成装置１０の電源を投入すると、表示部６６ｂには、図１２（ｂ）に示すような初期画面が表示される。
【００７５】
表示部６６ｂ上段の左側は、電解モードの表示部分であり、電解モードに応じて、電解水素水（還元水）、酸性水、混合水が表示される。電解モードは、モードスイッチ６６ｆ，６６ｇ，６６ｈによって切り替えることができる。また、表示部６６ｂ上段の右側は、電解レベルを示す数字が表示され、例えば、４段階で電解レベルを変更できる場合には、「１」〜「４」の数字が表示される。例えば、電解レベルは、同じ電解モードのモードスイッチ６６ｆ，６６ｇ，６６ｈを複数回押すことによって変更することができる。なお、モードスイッチ６６ｆ，６６ｇ，６６ｈとは別に電解レベル設定スイッチを設けてもかまわない。
【００７６】
表示部６６ｂ下段は、取水量設定の表示部分であり、電解水生成装置１０は、この設定数値に基づいた水量の水を取水口６２ｄから出水する。取水量の設定値は、取水量設定スイッチ６６ｅによって変更することができる。図１２（ｃ）は、図１２（ｂ）から電解レベルを２段階目に変更し、かつ、取水量の設定値を１２００リットルに設定した例を示している。
【００７７】
なお、表示部６６ｂの背景色は、電解モードに応じて切り替えてもよい。例えば、電解水素水（還元水）モードの場合は青色、酸性水モードの場合はオレンジ色、混合水モードの場合は緑色などに設定することができる。
【００７８】
使用者がスタートスイッチ６６ｃを押すと電解槽２１に給水が開始され、設定された電解モードに応じて電気分解された水の取水口６２ｄからの出水が開始される。このとき、制御回路１７は、電解槽２１の使用時間である第１使用時間のカウントを開始する。そして、制御回路１７は、取水量設定スイッチ６６ｅによって設定された設定取水量まで出水を行うように電解槽ユニットや、通水路の制御弁（図示しない）等を制御する。設定取水量に達すると、制御回路１７は、電解槽２１や電磁弁５５（図１１参照）等を制御し、取水口６２ｄからの出水を停止するとともに、第１使用時間のカウントを停止する。一方で、第２使用時間のカウントは、停止しない。
【００７９】
このように、制御回路１７は、第１使用時間として、３つの電解槽２１，２１，２１に通電されている時間をカウントし、第２使用時間として、電解水生成装置１０に最初に電源が供給されてからトータルの期間（使用時間）またはリセットスイッチ９０（スイッチ９２）が押された後に、電解水生成装置１０への最初の電源が供給されてからのトータルの期間（使用時間）をカウントする。そして、制御回路１７は、第１使用時間または第２使用時間が所定の使用時間に達した場合、図１２（ｃ）に示すように、表示部６６ｂに交換時期になったことを報知する。なお、この交換時期の報知において、表示部６６ｂの背景色を他の電解モードと異なる色（例えば、黄色）にしてもよい。これにより、使用者や作業者に対して、よりわかりやすく電解槽２１の交換時期を報知することができる。なお、本開示では、説明の便宜上、使用者と作業者を分けて記載しているが、使用者と作業者が同一人物でもかまわない。
【００８０】
［電解槽ユニットの取り付け／取り外し］
次に、３つの電解槽ユニット２０，２０，２０（電解槽２１，２１，２１）のユニット固定具７０，７０，７０への取り付け／取り外しについて、図１を用いて詳細に説明する。
【００８１】
電解槽ユニット２０（電解槽２１）をユニット固定具７０から取り外す際には、まず、作業者は、工具を用いて、ねじ３７，３７，…によるねじ止めを解除し、取付扉１２をハウジング１１から取り外し、ハウジング１１左側の開口（取付空間１５の開口）を開放する。このハウジング１１左側の開口が開放されたとき、作業者は、第１分割フレーム１３および第１分割フレーム１３と平行になった状態で並べられて配置されている３つの電解槽２１，２１，２１と対峙した状態となる。
【００８２】
次に、作業者は、取り外しを行う電解槽２１、例えば、第１電解槽２１と接続された固定具２６を固定するための２つのねじ３３，３３を緩めて、ユニット固定具７０と固定板２７とのねじ止めを解除し、支持部材２８の把持部２８ｄ（図６参照）を持って左側に引き出し、給水管２４，２４の接続具２４ｅ，２４ｅおよび出水管２５，２５の接続具２５ｅ，２５ｅ（図８参照）をダブルクロスライン弁５０から取り外す。次いで、第１電解槽２１を第１分割フレーム１３に固定するためのねじ３６，３６（図６参照）の締結を解除した後、第１電解槽２１を上に持ち上げて、丸頭ねじ３５，３５（図８参照）の上記抜け止め部１３ｄによる抜け止めを解除し、その後、第１電解槽２１を左側に引き出すことにより、第１電解槽２１を第１分割フレーム１３から取り外す。第１電解槽２１以外の２つの電解槽２１，２１（電解槽ユニット２０，２０）についても同様の手順で取り外すことができる。
【００８３】
第１電解槽２１を有する電解槽ユニット２０をユニット固定具７０に取り付ける際には、図１に示すように、作業者は、第１電解槽２１の丸頭ねじ３５，３５（図８参照）を第１分割フレーム１３の電解槽支持孔１３ａの挿入部１３ｃに挿入して、係止部２２ｊのくびれ部２２ｉ（図８参照）が電解槽支持孔１３ａの抜け止め部に嵌まるように第１電解槽２１を下側にスライドさせる。これにより、第１電解槽２１が第１分割フレーム１３に係止支持される。その後、作業者は、第１電解槽２１のねじ挿通部２２ｇを通るねじ３６，３６（図６参照）をねじ孔１３ｂ，１３ｂに螺合させることで第１電解槽２１を第１分割フレーム１３にねじ止め固定する。次に、作業者は、第１電解槽２１と接続された固定具２６の支持部材２８の把持部２８ｄ（図６参照）を持って、給水管２４，２４の接続具２４ｅ，２４ｅおよび出水管２５，２５の接続具２５ｅ，２５ｅ（図８参照）がそれぞれダブルクロスライン弁５０の接続部５７，５７，…（図９参照）に挿入されるように固定具２６を右側に移動させて押し込む。その後、作業者は、その固定具２６の固定板２７とユニット固定具７０とを、２つのねじ３３，３３によってねじ止め固定する。第１電解槽２１以外の２つの電解槽２１，２１（電解槽ユニット２０，２０）についても同様の手順で取り付けすることができる。
【００８４】
その後、作業者は、リセットスイッチ９０のスイッチ９２を押す。これにより、第１使用時間および第２使用時間がリセットされる。そして、ねじ３７，３７，…により取付扉１２をハウジング１１のねじ孔１１ｋ，１１ｋ，…に工具を用いて螺合固定し、元のようにハウジング１１の開口（取付空間１５の開口）を閉塞する。なお、本実施形態では、リセットスイッチ９０によって、３つの電解槽２１，２１，２１のすべてについて、第１使用時間および第２使用時間がリセットされる。
【００８５】
以上のように、本実施形態によると、３つの電解槽２１，２１，２１は、表面（裏面）が第１分割フレーム１３に沿うように並べて配置されているため、ハウジング１１左側の開口が開放されて、作業者が第１分割フレーム１３（３つの電解槽２１，２１，２１）と対峙したとき、作業者から見た電解槽２１，２１，２１の面積が広くなる。これにより、取り付け／取り外し作業における作業容易性を高めることができる。具体的には、例えば、図１に示すように、電解槽２１の幅方向両側で電解槽２１と第１分割フレーム１３とをねじ止め固定するような構成にした場合、そのねじ止め固定する固定間隔を広く確保することができ、取り付け／取り外し作業における作業容易性を高めることができる。
【００８６】
加えて、給水管２４，２４の接続具２４ｅ，２４ｅと給水路との接続部分、および出水管２５，２５の接続具２５ｅ，２５ｅと出水路との接続部分であるダブルクロスライン弁５０の接続部５７，５７，…（図９参照）が、第１分割フレームに沿う方向に各電解槽２１と並べられた状態で配置されているため、固定具２６の取り付け／取り外し作業における作業容易性を高めることができる。これにより、各電解槽２１の交換作業における作業容易性をより効果的に高めることができる。
【００８７】
さらに、固定具２６をユニット固定具７０にねじ止めする際に、それに先立って電解槽２１を第１分割フレーム１３に係止することができるため、電解槽２１を持ちながら固定具２６のねじ止め作業をする必要がない。これにより、作業者の作業容易性がさらに向上する。
【００８８】
また、給水管２４，２４の接続具２４ｅ，２４ｅおよび出水管２５，２５の接続具２５ｅ，２５ｅを固定具２６に固定することにより、一度のねじ止め作業で４つの接続具２４ｅ，２４ｅ，２５ｅ，２５ｅを接続部５７，５７，…に取り付け／取り外しすることができる。すなわち、給水管２４，２４と出水管２５，２５を同時にかつ簡単に取り付け／取り外しすることができる。また、給水管２４の接続具２４ｅおよび出水管２５の接続具２５ｅを固定具２６にあらかじめ固定させることができるため、作業者が電解槽ユニット２０（電解槽２１）を装置本体に取り付ける際に給水管２４と出水管２５との取り付け位置を間違えることを防止することができる。
【００８９】
なお、電解槽ユニット２０の取り外しに際して、固定具２６の取り外しと電解槽２１の取り外しとの順序が逆になってもかまわない。例えば、電解槽２１内に水が残っている場合には、電解槽２１を先に取り外すことによってハウジング１１内への漏水を防止することができる。
【００９０】
［その他の実施形態］
以上、本発明を好ましい実施形態により説明してきたが、種々の改変が可能である。
【００９１】
例えば、実施形態では、給水管２４，２４および出水管２５，２５をそれぞれ２つずつ備える例について説明したが、給水管および出水管はそれぞれ１つずつであってもよい。
【００９２】
また、３つの電解槽２１，２１，２１は、電解水生成装置１０のハウジング１１内において、前後方向に並べられて配置されているものとしたが、これに限定されず、例えば所定の平面が左右方向に延びるように形成され、３つの電解槽２１，２１，２１の幅広の側面がその左右方向に延びる所定の平面と平行になった状態で左右方向に並べられて配置されていてもよいし、例えば所定の平面が上下方向に延びるように形成され、３つの電解槽２１，２１，２１の幅広の側面がその上下方向に延びる所定の平面と平行になった状態で上下方向に並べられて配置されていてもよい。また、例えば、上述の前後方向に電解槽を配置する構成と上述の上下方向に電解槽を配置する構成とを組み合わせてもよいし、上述の左右方向に電解槽を配置する構成と上述の上下方向に電解槽を配置する構成とを組み合わせてもよい。また、各電解槽２１を係止するための第１分割フレーム１３を省いた状態で、複数の電解槽２１，２１，２１をハウジング１１内の所定の平面に沿って並べて配置しても、同様の効果が得られる。
【００９３】
また、本開示では、給水管２４の接続具２４ｅと、出水管２５の接続具２５ｅとは同じ形状および同じサイズであるものとしたが、それぞれのサイズが異なっていてもかまわない。その場合には、接続具２４ｅおよび接続具２５ｅの外径に応じて、固定具２６の固定板２７に形成する抜け止め孔２７ｅの大きさを調整すればよい。
【００９４】
また、本開示では、各電解槽２１の取り付けにおいて、各電解槽２１を第１分割フレーム１３に係止支持した後、ねじ３６，３６によって第１分割フレーム１３に螺合固定するものとしたが、ねじ３６，３６による螺合固定はなくてもかまわない。ただし、ねじ３６，３６による電解槽２１の固定を行った方が、電解槽２１を第１分割フレーム１３に安定して係止支持することができる。また、上述のねじ３６，３６による螺合固定に代えて、例えば、各電解槽２１をクリップ止めによって固定したり、取付扉１２を閉めることによって固定したりするものであってもよい。
【産業上の利用可能性】
【００９５】
本開示では、複数の電解槽を有する電解水生成装置において、その複数の電解槽の配置構造を最適化することができるため、大量の電解水素水を使用する食品関連、医療関連、農業関連等の分野において有用である。
【符号の説明】
【００９６】
１０  電解水生成装置
１１  ハウジング
１３  第１分割フレーム（分割フレーム、平面）
１３ａ  抜け止め孔
１３ｃ  挿入部
１３ｄ  抜け止め部
１５  取付空間
２０  電解槽ユニット
２１  電解槽
２２ｈ  突状部
２２ｉ  凹部（くびれ部）
２２ｊ  係止部
２２ｋ  リブ
２４  給水管
２５  出水管
３５  丸頭ねじ（頭部）
５０  ダブルクロスライン弁（流路弁）
６１  給水路
６２  取水路（出水路）
６３  排水路（出水路）
【図１】
0005845294.tif 000002
【図２】
0005845294.tif 000003
【図３】
0005845294.tif 000004
【図４】
0005845294.tif 000005
【図５】
0005845294.tif 000006
【図６】
0005845294.tif 000007
【図７】
0005845294.tif 000008
【図８】
0005845294.tif 000009
【図９】
0005845294.tif 000010
【図１０】
0005845294.tif 000011
【図１１】
0005845294.tif 000012
【図１２】
0005845294.tif 000013